(57)【要約】      （修正有）【課題】夜間あるいは地震や津波等の災害発生に伴う停電時において、避難誘導の案内事項を発光させて優れた視認性を発揮することができる避難誘導案内装置を提供する。【解決手段】地面に立設した支柱１０の上方部に案内板１が取り付けられ、また支柱１０の上端部にソーラーパネル２が取り付けられている避難誘導案内装置であって、表示部１ａに避難誘導の案内事項を印刷した無機ＥＬシートを用いた案内板１と、無機ＥＬシートに電力を供給するソーラーパネル２を備えており、夜間あるいは災害発生に伴う停電時において無機ＥＬシートを発光可能とした。また、案内板１には、無機ＥＬシートの任意の部分を点灯および／または点滅するように制御する制御器５を取り付けた。【選択図】図１
0003184780.tif 000002
【実用新案登録請求の範囲】
【請求項１】
表示部に避難誘導の案内事項を印刷した無機ＥＬシートを用いた案内板と、前記無機ＥＬシートに電力を供給するソーラーパネルを備えており、夜間あるいは災害発生に伴う停電時において前記無機ＥＬシートを発光可能としたことを特徴とする避難誘導案内装置。
【請求項２】
ソーラーパネルと無機ＥＬシートの間には、インバータが介在されている請求項１に記載の避難誘導案内装置。
【請求項３】
案内板には、無機ＥＬシートの任意の部分を点灯および／または点滅するように制御する制御器が取り付けられている請求項１または２に記載の避難誘導案内装置。
【請求項４】
地面に立設した支柱の上方部に案内板が取り付けられ、また支柱の上端部にソーラーパネルが取り付けられている請求項１〜３のいずれかに記載の避難誘導案内装置。
【考案の詳細な説明】
【技術分野】
【０００１】
本考案は、優れた視認性を発揮して避難する人々を安全に誘導することができる避難誘導案内装置に関するものである。更に詳しくは、夜間あるいは地震や津波等の災害発生に伴う停電時において、避難誘導の案内事項を発光させて優れた視認性を発揮することができる避難誘導案内装置に関するものである。
【背景技術】
【０００２】
従来から、病院や役所等の公共施設、デパートやスーパー等の店舗、旅館やホテル等の宿泊施設内には火災や地震等の非常時に備えて、避難者を安全な場所へ導くための非常口が設けられており、この非常口の付近には、避難者に非常口の存在を認識させるための誘導案内灯が設置されているのが普通である。また、最近では地震や津波等の災害時に避難場所等を表示する避難誘導案内板を設置することも行われるようになってきた。
【０００３】
前記誘導案内灯や避難誘導案内板は、夜間においても十分に視認できるように電球を発光させる構造となっているが、地震や津波等の災害発生により停電した場合には発光させられないので、誘導機能を発揮できないという問題があった。
そこで、特許文献１〜２に示されるように、蓄光材を利用して夜間にも視認できるようにしたものや、特許文献３に示されるように、停電時には非常用の第２電源より電力を供給して発光させるようにしたものが提案されている。
【０００４】
しかしながら、特許文献１〜２のものでは、発光能力が低く十分な視認性を発揮することができないという問題や、発光能力が短時間で低下してしまうという問題があった。また、特許文献３のものでは、設備が大型化し、電気配線も複雑化して設置費用が高価になるという問題があった。
【先行技術文献】
【特許文献】
【０００５】
【特許文献１】特開２００９−９８４２１号公報
【特許文献２】特開２００９−１４６０３５号公報
【特許文献３】特開２００４−２０６５０３号公報
【考案の概要】
【考案が解決しようとする課題】
【０００６】
本考案は上記のような問題点を解決して、優れた視認性を発揮して避難する人々を安全に誘導することができ、特に、夜間あるいは地震や津波等の災害発生に伴う停電時においても、避難誘導の案内事項を十分に発光させて優れた視認性を発揮することができ、また節電効果が高く地球環境にもやさしい避難誘導案内装置を提供することを目的として完成されたものである。
【課題を解決するための手段】
【０００７】
上記課題を解決するためになされた本考案の避難誘導案内装置は、表示部に避難誘導の案内事項を印刷した無機ＥＬシートを用いた案内板と、前記無機ＥＬシートに電力を供給するソーラーパネルを備えており、夜間あるいは災害発生に伴う停電時において前記無機ＥＬシートを発光可能としたことを特徴とするものである。
【０００８】
前記ソーラーパネルと無機ＥＬシートの間には、インバータが介在されているものが好ましく、これを請求項２に係る考案とする。
【０００９】
また、前記案内板には、無機ＥＬシートの任意の部分を点灯および／または点滅するように制御する制御器が取り付けられていることが好ましく、これを請求項３に係る考案とする。
【００１０】
更には、地面に立設した支柱の上方部に案内板が取り付けられ、また支柱の上端部にソーラーパネルが取り付けられていることが好ましく、これを請求項４に係る考案とする。
【考案の効果】
【００１１】
請求項１に係る考案では、表示部に避難誘導の案内事項を印刷した無機ＥＬシートを用いた案内板と、前記無機ＥＬシートに電力を供給するソーラーパネルを備えており、夜間あるいは災害発生に伴う停電時において前記無機ＥＬシートを発光可能としたので、夜間や停電時においても避難誘導の案内事項を発光させることが可能であり、優れた視認性を発揮する。また、ソーラーパネルの利用により節電効果が高く、地球環境にもやさしい装置を提供することができる。
【００１２】
請求項２に係る考案では、ソーラーパネルと無機ＥＬシートの間には、インバータが介在されているものとしたので、ソーラーパネルで得た直流電力を交流電力に変換して無機ＥＬシートを十分に発光させることができる。
【００１３】
請求項３に係る考案では、案内板には、無機ＥＬシートの任意の部分を点灯および／または点滅するように制御する制御器が取り付けられているものとしたので、必要に応じ任意の部分のみを点灯および／または点滅させて注目させることで、避難する人々を安全かつ的確に誘導することができる。
【００１４】
また、請求項４に係る考案では、地面に立設した支柱の上方部に案内板が取り付けられ、また支柱の上端部にソーラーパネルが取り付けられているものとしたので、簡単な構造および電気配線であり、特別な設置スペースも不要で何処にでも容易に設置することができる。
【図面の簡単な説明】
【００１５】
【図１】本考案の実施の形態を示す全体斜視図である。
【図２】ソーラーパネルと無機ＥＬシートの概要を示す説明図である。
【考案を実施するための形態】
【００１６】
以下に、図面を参照しつつ本考案の好ましい実施の形態を示す。
図１は、本考案の実施の形態を示す全体斜視図である。図において、１は案内板、１ａは案内板１の表示部、２はソーラーパネルである。図示のものでは、地面に立設した支柱１０の上方部に案内板１が取り付けられ、また支柱１０の上端部にソーラーパネル２が取り付けられた構造となっていて、屋外の何処にでも簡単に設置可能なものとなっている。
【００１７】
前記案内板１の表示部１ａには、避難誘導の案内事項を印刷した無機ＥＬシートが用いられている。
この無機ＥＬシートは、図２に示すように、表面側からＰＥＴフィルムからなる封止層３ａ、透明電極層３ｂ、発光層（発光体の印刷層）３ｃ、絶縁層３ｄ、背面電極層３ｅ、封止層３ｆを順次積層したものであり、厚みは０．１〜１．０ｍｍと極めて薄く、軽くて容易に曲げることができるものである。そのため、円柱等の局面にも簡単に貼ることができ、加工性にも優れている。また、消費電力も約５Ｗ程度と小さく、省エネ効果が大きいものである。
【００１８】
前記無機ＥＬシートは、面全体が均一に発光するため、ＬＥＤや蛍光灯等の証明が面にムラができやすいのに比べて、ムラのない均一な面発光を行うことができる。また、ＬＥＤ等の発光体は指向性が強く、正面からは明るく見えるものの、横からは暗くなるのに対して、無機ＥＬシートは、無指向性でほぼ１８０度の視野で、同一の輝度が得られることとなる。更に、無機ＥＬシートの放つ光は、蛍光灯等とは光のスペクトルが異なり、視認性に優れているため、霧や雪の中でも明確に視認することができることとなる。
このように、無機ＥＬシートは優れた視認性を有しているので、避難誘導の案内事項をクッキリと発光させることができ、避難する人々を安全かつ的確に誘導することが可能となる。
【００１９】
前記無機ＥＬシートには、インバータ４を介在してソーラーパネル２が連結されており、太陽光発電により得た電力で無機ＥＬシートが発光するように構成されている。これにより、節電効果が高く、地球環境にもやさしい装置を提供できることとなる。
なお、ソーラーパネル２と無機ＥＬシートの間には、インバータ４が介在されており、ソーラーパネル２で得た直流電力を交流電力に変換して無機ＥＬシートを十分に発光させる構造となっている。
前記無機ＥＬシートの消費電力は約５Ｗと非常に小さいため、例えば、２０〜３０Ｗ発電用のソーラーパネルを連結した場合は、不日照期間が３〜５日あっても十分に発光して避難誘導の案内ができることが確認できている。
【００２０】
また、前記案内板１には、無機ＥＬシートの任意の部分を点灯および／または点滅するように制御する制御器５が取り付けられている。例えば、図１に示す避難誘導の案内事項のうち、津波の発生を知らせる絵の部分のみを発光させたり、避難場所を表示する文字情報の部分のみを発光させたり、バックグランドのみを発光させたり、全体を発光させたりする等、必要に応じて任意の部分のみを点灯および／または点滅させて注目させることができ、避難する人々に明確な避難情報を提供して、安全かつ的確に避難誘導することができる構造となっている。
【００２１】
以上のように構成された本考案の避難誘導案内装置では、夜間や停電時においても避難誘導の案内事項を発光させることが可能であり、優れた視認性を発揮することとなる。また、ソーラーパネルの利用により節電効果が高く、地球環境にもやさしい装置を提供することができる。また、簡単な構造および電気配線であり、特別な設置スペースも不要であるため、安価で何処にでも容易に設置できるという利点も有する。
【符号の説明】
【００２２】
１  案内板
１ａ  表示部
２  ソーラーパネル
３ａ  封止層
３ｂ  透明電極層
３ｃ  発光層
３ｄ  絶縁層
３ｅ  背面電極層
３ｆ  封止層
４  インバータ
５  制御器
１０  支柱
【図１】
0003184780.tif 000003
【図２】
0003184780.tif 000004
【手続補正書】
【提出日】平成25年5月9日(2013.5.9)
【手続補正１】
【補正対象書類名】明細書
【補正対象項目名】全文
【補正方法】変更
【補正の内容】
【考案の詳細な説明】
【技術分野】
【０００１】
本考案は、優れた視認性を発揮して避難する人々を安全に誘導することができる避難誘導案内装置に関するものである。更に詳しくは、夜間あるいは地震や津波等の災害発生に伴う停電時において、避難誘導の案内事項を発光させて優れた視認性を発揮することができる避難誘導案内装置に関するものである。
【背景技術】
【０００２】
従来から、病院や役所等の公共施設、デパートやスーパー等の店舗、旅館やホテル等の宿泊施設内には火災や地震等の非常時に備えて、避難者を安全な場所へ導くための非常口が設けられており、この非常口の付近には、避難者に非常口の存在を認識させるための誘導案内灯が設置されているのが普通である。また、最近では地震や津波等の災害時に避難場所等を表示する避難誘導案内板を設置することも行われるようになってきた。
【０００３】
前記誘導案内灯や避難誘導案内板は、夜間においても十分に視認できるように電球を発光させる構造となっているが、地震や津波等の災害発生により停電した場合には発光させられないので、誘導機能を発揮できないという問題があった。
そこで、特許文献１〜２に示されるように、蓄光材を利用して夜間にも視認できるようにしたものや、特許文献３に示されるように、停電時には非常用の第２電源より電力を供給して発光させるようにしたものが提案されている。
【０００４】
しかしながら、特許文献１〜２のものでは、発光能力が低く十分な視認性を発揮することができないという問題や、発光能力が短時間で低下してしまうという問題があった。また、特許文献３のものでは、設備が大型化し、電気配線も複雑化して設置費用が高価になるという問題があった。
【先行技術文献】
【特許文献】
【０００５】
【特許文献１】特開２００９−９８４２１号公報
【特許文献２】特開２００９−１４６０３５号公報
【特許文献３】特開２００４−２０６５０３号公報
【考案の概要】
【考案が解決しようとする課題】
【０００６】
本考案は上記のような問題点を解決して、優れた視認性を発揮して避難する人々を安全に誘導することができ、特に、夜間あるいは地震や津波等の災害発生に伴う停電時においても、避難誘導の案内事項を十分に発光させて優れた視認性を発揮することができ、また節電効果が高く地球環境にもやさしい避難誘導案内装置を提供することを目的として完成されたものである。
【課題を解決するための手段】
【０００７】
上記課題を解決するためになされた本考案の避難誘導案内装置は、地面に立設した支柱の上方部に案内板が取り付けられ、また支柱の上端部にソーラーパネルが取り付けられている避難誘導案内装置であって、表示部に避難誘導の案内事項を印刷した無機ＥＬシートを用いた案内板と、前記無機ＥＬシートに電力を供給するソーラーパネルを備えており、夜間あるいは災害発生に伴う停電時において前記無機ＥＬシートを発光可能としたことを特徴とするものである。
【０００８】
前記ソーラーパネルと無機ＥＬシートの間には、インバータが介在されているものが好ましく、これを請求項２に係る考案とする。
【０００９】
また、前記案内板には、無機ＥＬシートの任意の部分を点灯および／または点滅するように制御する制御器が取り付けられていることが好ましく、これを請求項３に係る考案とする。
【考案の効果】
【００１０】
請求項１に係る考案では、表示部に避難誘導の案内事項を印刷した無機ＥＬシートを用いた案内板と、前記無機ＥＬシートに電力を供給するソーラーパネルを備えており、夜間あるいは災害発生に伴う停電時において前記無機ＥＬシートを発光可能としたので、夜間や停電時においても避難誘導の案内事項を発光させることが可能であり、優れた視認性を発揮する。また、ソーラーパネルの利用により節電効果が高く、地球環境にもやさしい装置を提供することができる。
更に、本考案は、地面に立設した支柱の上方部に案内板が取り付けられ、また支柱の上端部にソーラーパネルが取り付けられているものとしたので、簡単な構造および電気配線であり、特別な設置スペースも不要で何処にでも容易に設置することができる。
【００１１】
請求項２に係る考案では、ソーラーパネルと無機ＥＬシートの間には、インバータが介在されているものとしたので、ソーラーパネルで得た直流電力を交流電力に変換して無機ＥＬシートを十分に発光させることができる。
【００１２】
請求項３に係る考案では、案内板には、無機ＥＬシートの任意の部分を点灯および／または点滅するように制御する制御器が取り付けられているものとしたので、必要に応じ任意の部分のみを点灯および／または点滅させて注目させることで、避難する人々を安全かつ的確に誘導することができる。
【図面の簡単な説明】
【００１３】
【図１】本考案の実施の形態を示す全体斜視図である。
【図２】ソーラーパネルと無機ＥＬシートの概要を示す説明図である。
【考案を実施するための形態】
【００１４】
以下に、図面を参照しつつ本考案の好ましい実施の形態を示す。
図１は、本考案の実施の形態を示す全体斜視図である。図において、１は案内板、１ａは案内板１の表示部、２はソーラーパネルである。図示のものでは、地面に立設した支柱１０の上方部に案内板１が取り付けられ、また支柱１０の上端部にソーラーパネル２が取り付けられた構造となっていて、屋外の何処にでも簡単に設置可能なものとなっている。
【００１５】
前記案内板１の表示部１ａには、避難誘導の案内事項を印刷した無機ＥＬシートが用いられている。
この無機ＥＬシートは、図２に示すように、表面側からＰＥＴフィルムからなる封止層３ａ、透明電極層３ｂ、発光層（発光体の印刷層）３ｃ、絶縁層３ｄ、背面電極層３ｅ、封止層３ｆを順次積層したものであり、厚みは０．１〜１．０ｍｍと極めて薄く、軽くて容易に曲げることができるものである。そのため、円柱等の局面にも簡単に貼ることができ、加工性にも優れている。また、消費電力も約５Ｗ程度と小さく、省エネ効果が大きいものである。
【００１６】
前記無機ＥＬシートは、面全体が均一に発光するため、ＬＥＤや蛍光灯等の証明が面にムラができやすいのに比べて、ムラのない均一な面発光を行うことができる。また、ＬＥＤ等の発光体は指向性が強く、正面からは明るく見えるものの、横からは暗くなるのに対して、無機ＥＬシートは、無指向性でほぼ１８０度の視野で、同一の輝度が得られることとなる。更に、無機ＥＬシートの放つ光は、蛍光灯等とは光のスペクトルが異なり、視認性に優れているため、霧や雪の中でも明確に視認することができることとなる。
このように、無機ＥＬシートは優れた視認性を有しているので、避難誘導の案内事項をクッキリと発光させることができ、避難する人々を安全かつ的確に誘導することが可能となる。
【００１７】
前記無機ＥＬシートには、インバータ４を介在してソーラーパネル２が連結されており、太陽光発電により得た電力で無機ＥＬシートが発光するように構成されている。これにより、節電効果が高く、地球環境にもやさしい装置を提供できることとなる。
なお、ソーラーパネル２と無機ＥＬシートの間には、インバータ４が介在されており、ソーラーパネル２で得た直流電力を交流電力に変換して無機ＥＬシートを十分に発光させる構造となっている。
前記無機ＥＬシートの消費電力は約５Ｗと非常に小さいため、例えば、２０〜３０Ｗ発電用のソーラーパネルを連結した場合は、不日照期間が３〜５日あっても十分に発光して避難誘導の案内ができることが確認できている。
【００１８】
また、前記案内板１には、無機ＥＬシートの任意の部分を点灯および／または点滅するように制御する制御器５が取り付けられている。例えば、図１に示す避難誘導の案内事項のうち、津波の発生を知らせる絵の部分のみを発光させたり、避難場所を表示する文字情報の部分のみを発光させたり、バックグランドのみを発光させたり、全体を発光させたりする等、必要に応じて任意の部分のみを点灯および／または点滅させて注目させることができ、避難する人々に明確な避難情報を提供して、安全かつ的確に避難誘導することができる構造となっている。
【００１９】
以上のように構成された本考案の避難誘導案内装置では、夜間や停電時においても避難誘導の案内事項を発光させることが可能であり、優れた視認性を発揮することとなる。また、ソーラーパネルの利用により節電効果が高く、地球環境にもやさしい装置を提供することができる。また、簡単な構造および電気配線であり、特別な設置スペースも不要であるため、安価で何処にでも容易に設置できるという利点も有する。
【符号の説明】
【００２０】
１  案内板
１ａ  表示部
２  ソーラーパネル
３ａ  封止層
３ｂ  透明電極層
３ｃ  発光層
３ｄ  絶縁層
３ｅ  背面電極層
３ｆ  封止層
４  インバータ
５  制御器
１０  支柱
【手続補正２】
【補正対象書類名】実用新案登録請求の範囲
【補正対象項目名】全文
【補正方法】変更
【補正の内容】
【実用新案登録請求の範囲】
【請求項１】
地面に立設した支柱の上方部に案内板が取り付けられ、また支柱の上端部にソーラーパネルが取り付けられている避難誘導案内装置であって、表示部に避難誘導の案内事項を印刷した無機ＥＬシートを用いた案内板と、前記無機ＥＬシートに電力を供給するソーラーパネルを備えており、夜間あるいは災害発生に伴う停電時において前記無機ＥＬシートを発光可能としたことを特徴とする避難誘導案内装置。
【請求項２】
ソーラーパネルと無機ＥＬシートの間には、インバータが介在されている請求項１に記載の避難誘導案内装置。
【請求項３】
案内板には、無機ＥＬシートの任意の部分を点灯および／または点滅するように制御する制御器が取り付けられている請求項１または２に記載の避難誘導案内装置。